(57)【特許請求の範囲】
【請求項１】
カラオケにおけるリモコン装置とコマンダとのくくり付けを管理する管理装置であって、
カラオケで用いるコマンダを識別するコマンダ識別情報と、前記コマンダとくくり付けられているリモコン装置を識別するリモコン識別情報とを対応付けて記憶する記憶手段と、
ユーザを識別するユーザ識別情報と、前記コマンダ識別情報とを携帯端末装置から受信する受信手段と、
前記受信手段により受信されたコマンダ識別情報とユーザ識別情報とを用いて、携帯端末装置とコマンダとのくくり付けを実行する第１制御手段と、
前記記憶手段に記憶されたコマンダ識別情報の中で、前記第１制御手段によりくくり付けられたコマンダに対応付けられているリモコン識別情報があるか判定する判定手段と、
前記判定手段により判定されたリモコン識別情報が示すリモコン装置に、前記受信手段が受信したユーザ識別情報を用いてログイン処理を実行する第２制御手段と、
を備えることを特徴とする管理装置。
【請求項２】
前記記憶手段は、前記ユーザ識別情報と、前記ユーザ識別情報が示すユーザが過去に歌唱した楽曲又は前記ユーザ識別情報が示すユーザのお気に入りの楽曲を示す楽曲識別情報とを対応付けて記憶し、
前記第２制御手段により前記リモコン装置へのログイン処理が実行された後に、前記ログイン処理が実行されたリモコン装置にログインしている複数のユーザに共通する前記楽曲識別情報を、前記記憶手段に記憶された前記ユーザ識別情報と前記楽曲識別情報とに基づいて決定する決定手段と、
前記決定手段により決定された前記楽曲識別情報を、前記携帯端末装置へ送信する送信手段と、
を備えることを特徴とする請求項１に記載の管理装置。
【請求項３】
カラオケにおけるリモコン装置とコマンダとのくくり付けを管理する管理装置を備えるカラオケシステムであって、
前記管理装置は、
カラオケで用いるコマンダを識別するコマンダ識別情報と、前記コマンダとくくり付けられているリモコン装置を識別するリモコン識別情報とを対応付けて記憶する記憶手段と、
ユーザを識別するユーザ識別情報と、前記コマンダ識別情報とを携帯端末装置から受信する受信手段と、
前記受信手段により受信されたコマンダ識別情報とユーザ識別情報とを用いて、携帯端末装置とコマンダとのくくり付けを実行する第１制御手段と、
前記記憶手段に記憶されたコマンダ識別情報の中で、前記第１制御手段によりくくり付けられたコマンダに対応付けられているリモコン識別情報があるかを判定する判定手段と、
前記判定手段により判定されたリモコン識別情報が示すリモコン装置に、前記受信手段が受信したユーザ識別情報を用いてログイン処理を実行する第２制御手段と、
を備えることを特徴とするカラオケシステム。
【請求項４】
前記カラオケシステムにおいて、
前記リモコン装置は、
前記ユーザ識別情報と、前記ユーザ識別情報が示すユーザが過去に歌唱した楽曲又は前記ユーザ識別情報が示すユーザのお気に入りの楽曲を示す楽曲識別情報とを対応付けて記憶する第２記憶手段と、
前記第２制御手段により前記リモコン装置へのログイン処理が実行された後に、前記ログイン処理が実行されたリモコン装置にログインしている複数のユーザに共通する前記楽曲識別情報を、前記第２記憶手段に記憶された前記ユーザ識別情報と前記楽曲識別情報とに基づいて決定する決定手段と、
前記決定手段により決定された前記楽曲識別情報を、前記携帯端末装置へ向けて送信する送信手段と、
を備えることを特徴とする請求項３に記載のカラオケシステム。
【請求項５】
カラオケで用いるコマンダを識別するコマンダ識別情報と、前記コマンダとくくり付けられているリモコン装置を識別するリモコン識別情報とを対応付けて記憶する記憶手段を備える管理装置において、
カラオケにおけるリモコン装置とコマンダとのくくり付けを管理する前記管理装置の管理方法であって、
ユーザを識別するユーザ識別情報と、前記コマンダ識別情報とを携帯端末装置から受信する受信ステップと、
前記受信ステップにより受信されたコマンダ識別情報とユーザ識別情報とを用いて、携帯端末装置とコマンダとのくくり付けを実行する第１制御ステップと、
前記記憶手段に記憶されたコマンダ識別情報の中で、前記第１制御ステップによりくくり付けられたコマンダに対応付けられているリモコン識別情報があるかを判定する判定ステップと、
前記判定ステップにより判定されたリモコン識別情報が示すリモコン装置に、前記受信ステップにより受信されたユーザ識別情報を用いてログイン処理を実行する第２制御ステップと、
を含む管理方法。
【発明の詳細な説明】
【技術分野】
【０００１】
本発明は、カラオケシステムにおけるコマンダとリモコン装置との対応付けを管理する管理装置に関する。具体的には、スマートフォン等の携帯端末装置をリモコンの代わりに用いる際に、スマートフォンとコマンダとリモコンとの対応付けの管理する技術に関する。
【背景技術】
【０００２】
従来、コマンダとリモコンとの対応付けを管理する技術が知られている。例えば、特許文献１には、コマンダとリモコンとのくくり付けが解除される技術が開示されている。具体的には、ある部屋に備え付けられたコマンダと、リモコンとがくくり付けられていた場合に、リモコンが他の部屋に移動されたとする。この場合に、コマンダとリモコンとのくくり付けを解除する技術が開示されている。
【先行技術文献】
【特許文献】
【０００３】
【特許文献１】特開２００９−１８１０２０号公報
【発明の開示】
【発明が解決しようとする課題】
【０００４】
近年、携帯端末装置として、スマートフォンの普及が広がっている。この普及により、カラオケのコマンダの専用リモコン以外に、個人のスマートフォンを用いてコマンダに操作指令を送信したいというユーザの要望がある。しかしながら、スマートフォンの多くは個人の所有であり、種々のアプリケーションが実行されている。スマートフォンにより、カラオケ以外のアプリケーションが使用されることもあるため、スマートフォンと、専用リモコンとを併用したい状況も存在する。この状況の場合、スマートフォンと専用リモコンとの両方に、ログイン操作を行う必要があるため、ユーザにとっては複数回のログイン処理を行う必要があり、使い勝手が悪かった。
【０００５】
本発明は、以上のことを鑑みてなされたものである。本発明の目的は、スマートフォンと専用リモコンとの両方に、ログイン操作を行う必要がある場合であっても、複数回のログイン処理を行う必要がない管理装置、カラオケシステム及び管理方法を提供することである。
【課題を解決するための手段】
【０００６】
請求項１に記載の発明によれば、カラオケにおけるリモコン装置とコマンダとのくくり付けを管理する管理装置であって、カラオケで用いるコマンダを識別するコマンダ識別情報と、前記コマンダとくくり付けられているリモコン装置を識別するリモコン識別情報とを対応付けて記憶する記憶手段と、ユーザを識別するユーザ識別情報と、前記コマンダ識別情報とを携帯端末装置から受信する受信手段と、前記受信手段により受信されたコマンダ識別情報とユーザ識別情報とを用いて、携帯端末装置とコマンダとのくくり付けを実行する第１制御手段と、前記記憶手段に記憶されたコマンダ識別情報の中で、前記第１制御手段によりくくり付けられたコマンダに対応付けられているリモコン識別情報があるか判定する判定手段と、前記判定手段により判定されたリモコン識別情報が示すリモコン装置に、前記受信手段が受信したユーザ識別情報を用いてログイン処理を実行する第２制御手段と、を備えることを特徴とする管理装置である。
【０００７】
請求項２に記載の発明によれば、前記記憶手段は、前記ユーザ識別情報と、前記ユーザ識別情報が示すユーザが過去に歌唱した楽曲又は前記ユーザ識別情報が示すユーザのお気に入りの楽曲を示す楽曲識別情報とを対応付けて記憶し、前記第２制御手段により前記リモコン装置へのログイン処理が実行された後に、前記ログイン処理が実行されたリモコン装置にログインしている複数のユーザに共通する前記楽曲識別情報を、前記記憶手段に記憶された前記ユーザ識別情報と前記楽曲識別情報とに基づいて決定する決定手段と、前記決定手段により決定された前記楽曲識別情報を、前記携帯端末装置へ送信する送信手段と、を備えることを特徴とする管理装置である。
【０００８】
請求項３に記載の発明によれば、カラオケにおけるリモコン装置とコマンダとのくくり付けを管理する管理装置を備えるカラオケシステムであって、前記管理装置は、カラオケで用いるコマンダを識別するコマンダ識別情報と、前記コマンダとくくり付けられているリモコン装置を識別するリモコン識別情報とを対応付けて記憶する記憶手段と、ユーザを識別するユーザ識別情報と、前記コマンダ識別情報とを携帯端末装置から受信する受信手段と、前記受信手段により受信されたコマンダ識別情報とユーザ識別情報とを用いて、携帯端末装置とコマンダとのくくり付けを実行する第１制御手段と、前記記憶手段に記憶されたコマンダ識別情報の中で、前記第１制御手段によりくくり付けられたコマンダに対応付けられているリモコン識別情報があるかを判定する判定手段と、前記判定手段により判定されたリモコン識別情報が示すリモコン装置に、前記受信手段が受信したユーザ識別情報を用いてログイン処理を実行する第２制御手段と、を備えることを特徴とするカラオケシステムである。
【０００９】
請求項４に記載の発明によれば、前記カラオケシステムにおいて、前記リモコン装置は、前記ユーザ識別情報と、前記ユーザ識別情報が示すユーザが過去に歌唱した楽曲又は前記  ユーザ識別情報が示すユーザのお気に入りの楽曲を示す楽曲識別情報とを対応付けて記憶する第２記憶手段と、前記第２制御手段により前記リモコン装置へのログイン処理が実行された後に、前記ログイン処理が実行されたリモコン装置にログインしている複数のユーザに共通する前記楽曲識別情報を、前記第２記憶手段に記憶された前記ユーザ識別情報と前記楽曲識別情報とに基づいて決定する決定手段と、前記決定手段により決定された前記楽曲識別情報を、前記携帯端末装置へ向けて送信する送信手段と、を備えることを特徴とするカラオケシステムである。
【００１０】
請求項５に記載の発明によれば、カラオケで用いるコマンダを識別するコマンダ識別情報と、前記コマンダとくくり付けられているリモコン装置を識別するリモコン識別情報とを対応付けて記憶する記憶手段を備える管理装置において、カラオケにおけるリモコン装置とコマンダとのくくり付けを管理する前記管理装置の管理方法であって、ユーザを識別するユーザ識別情報と、前記コマンダ識別情報とを携帯端末装置から受信する受信ステップと、前記受信ステップにより受信されたコマンダ識別情報とユーザ識別情報とを用いて、携帯端末装置とコマンダとのくくり付けを実行する第１制御ステップと、前記記憶手段に記憶されたコマンダ識別情報の中で、前記第１制御ステップによりくくり付けられたコマンダに対応付けられているリモコン識別情報があるかを判定する判定ステップと、前記判定ステップにより判定されたリモコン識別情報が示すリモコン装置に、前記受信ステップにより受信されたユーザ識別情報を用いてログイン処理を実行する第２制御ステップと、を含む管理方法である。
【発明の効果】
【００１１】
請求項１に記載の発明によれば、第１制御手段は、受信手段により受信されたコマンダ識別情報とユーザ識別情報とを用いて、携帯端末装置とコマンダとのくくり付けを実行する。判定手段は、記憶手段に記憶されたコマンダ識別情報の中で、第１制御手段によりくくり付けられたコマンダに対応付けられているリモコン識別情報があるかを判定する。第２制御手段は、判定手段により判定されたリモコン識別情報が示すリモコン装置に、受信手段が受信したユーザ識別情報を用いてログイン処理を実行する。この結果、スマートフォンに代表される携帯端末装置と専用のリモコン装置との両方に、ログイン操作を行う必要がある場合であっても、複数回のログイン処理を行う必要がないため使い勝手が良くなる。
【００１２】
請求項２に記載の発明によれば、決定手段は、第２制御手段によりリモコン装置へのログイン処理が実行された後に、ログイン処理が実行されたリモコン装置にログインしている複数のユーザに共通する楽曲識別情報を、記憶手段に記憶されたユーザ識別情報と楽曲識別情報とに基づいて決定する。送信手段は、決定手段により決定された楽曲識別情報を、携帯端末装置へ送信する。この結果、リモコン装置にログインした複数のユーザに共通した楽曲を携帯端末装置へ送信することで、携帯端末装置を用いたユーザは、リモコン装置を使用するユーザに共通した楽曲を把握することができる。
【００１３】
請求項３に記載の発明によれば、第１制御手段は、受信手段により受信されたコマンダ識別情報とユーザ識別情報とを用いて、携帯端末装置とコマンダとのくくり付けを実行する。判定手段は、記憶手段に記憶されたコマンダ識別情報の中で、第１制御手段によりくくり付けられたコマンダに対応付けられているリモコン識別情報があるかを判定する。第２制御手段は、判定手段により決定されたリモコン識別情報が示すリモコン装置に、受信手段が受信したユーザ識別情報を用いてログイン処理を実行する。この結果、スマートフォンに代表される携帯端末装置と専用のリモコン装置との両方に、ログイン操作を行う必要がある場合であっても、複数回のログイン処理を行う必要がないため使い勝手が良くなる。
【００１４】
請求項４に記載の発明によれば、リモコン装置の決定手段は、第２制御手段によりリモコン装置へのログイン処理が実行された後に、ログイン処理が実行されたリモコン装置にログインしている複数のユーザに共通する楽曲識別情報を、記憶手段に記憶されたユーザ識別情報と楽曲識別情報とに基づいて決定する。リモコン装置の送信手段は、決定手段により決定された楽曲識別情報を、携帯端末装置へ送信する。この結果、リモコン装置にログインした複数のユーザに共通した楽曲を携帯端末装置へ向けて送信することで、携帯端末装置を用いたユーザは、リモコン装置を使用するユーザに共通した楽曲を把握することができる。
【００１５】
請求項５に記載の発明によれば、第１制御ステップは、受信ステップにより受信されたコマンダ識別情報とユーザ識別情報とを用いて、携帯端末装置とコマンダとのくくり付けを実行する。判定ステップは、記憶手段に記憶されたコマンダ識別情報の中で、第１制御手段によりくくり付けられたコマンダに対応付けられているリモコン識別情報があるかを判定する。第２制御ステップは、判定ステップにより判定されたリモコン識別情報が示すリモコン装置に、受信ステップにより受信されたユーザ識別情報を用いてログイン処理を実行する。この結果、スマートフォンに代表される携帯端末装置と専用のリモコン装置との両方に、ログイン操作を行う必要がある場合であっても、複数回のログイン処理を行う必要がないため使い勝手が良くなる。
【図面の簡単な説明】
【００１６】
【図１】本実施形態のカラオケシステムＳの概要構成図である。
【図２】本実施形態の携帯端末装置Ｋ１とコマンダ２とのくくり付け方法、及び、リモコン１へのログイン方法を示す概念図である。
【図３】本実施形態の携帯端末装置Ｋ１への楽曲予約のレコメンド方法を示す概念図である。
【図４】本実施形態のリモコン１、コマンダ２、センターサーバ３、及び、携帯端末装置Ｋ１の電気的構成の概念図である。
【図５】本実施形態のリモコン１のメイン動作を示すフローチャートである。
【図６】本実施形態のセンターサーバ３のメイン動作を示すフローチャートである。
【図７】本実施形態の携帯端末装置Ｋ１のメイン動作を示すフローチャートである。
【発明を実施するための最良の形態】
【００１７】
［最良の実施形態］
以下、図面に沿って、本発明を適用した最良の実施形態について説明する。
【００１８】
［１．カラオケシステムの構成及び動作の概要］
始めに、図１を参照して、本実施形態に係るカラオケシステムの構成の概要について説明する。図１は、本実施形態に係るカラオケシステムＳの構成を表す図である。なお、図１は、カラオケ店舗ＫＳの中に設置された複数のカラオケルームの中で、カラオケルームＫＲを１室示した例を用いている。また、図１の例では、カラオケルームＫＲに、リモコン１及びコマンダ２が夫々１台ずつ設置されている。なお、カラオケルームＫＲに、リモコン１は複数台設置されても良い。一般的にカラオケ店舗ＫＳには、複数のカラオケルームが設定されている。
【００１９】
図１に示すように、カラオケシステムＳは、リモコン１と、コマンダ２と、センターサーバ３を含んで構成される。リモコン１は、カラオケ曲の選曲または検索に用いられる選曲装置である。リモコン１は、カラオケ店舗ＫＳに備えられたアクセスポイントＡＰ及びブロードバンドルータＢＲを介して、無線通信によりネットワークに接続される。これにより、リモコン１は、ネットワークを介してコマンダ２及びセンターサーバ３と通信が可能になる。リモコン１は、無線通信または赤外線によりコマンダ２へ、カラオケ曲の予約を依頼する。リモコン１には、リモコンＩＤが付与されている。リモコンＩＤは、リモコン１を識別するための識別情報である。リモコンＩＤは、リモコン１を一意に特定できる情報であれば、どのような情報であってもよい。例えばリモコン１に割り当てられたＩＰアドレスがリモコンＩＤとされても良い。なお、本実施形態のセンターサーバ３は、本発明の管理装置の一例である。また、本実施形態のリモコンＩＤは、本発明のリモコン識別情報の一例である。
【００２０】
コマンダ２は、リモコン１により依頼された予約に基づいて、カラオケ曲の再生処理を行う。コマンダには、夫々コマンダＩＤが付与される。コマンダＩＤは、コマンダを夫々識別するための情報である。コマンダＩＤは、コマンダ２を一意に特定できる情報であれば、どのような情報であってもよいが、例えばコマンダ２に割り当てられたＩＰアドレスがコマンダＩＤとされても良い。なお、本実施形態のコマンダＩＤは、本発明のコマンダ識別情報の一例である。
【００２１】
本実施形態では、ユーザが個人で所有する携帯端末装置から、カラオケ曲の予約を、コマンダへ依頼することが可能である。図１に示すように、ユーザＹ１〜Ｙ３が夫々所有する携帯端末装置Ｋ１〜Ｋ３を用いて、コマンダ２へカラオケ曲の予約を依頼することができる。この場合、携帯端末装置Ｋ１〜Ｋ３は、携帯基地局Ｃを介してネットワークへ接続可能になっている。
【００２２】
センターサーバ３は、カラオケ店舗ＫＳに設置されたコマンダとリモコンとのくくり付け情報を記憶する。また、センターサーバ３は、カラオケ店舗ＫＳに設置されたコマンダと携帯端末装置とのくくり付け情報を記憶する。なお、くくり付け情報の詳細は後述する。センターサーバ３は、くくり付け情報に基づいて、リモコン１から送信された予約依頼を、リモコン１とくくり付けられたコマンダ２へ送信する。また、センターサーバ３は、くくり付け情報に基づいて、携帯端末装置Ｋ１〜Ｋ３から送信された予約依頼を、携帯端末装置Ｋ１〜Ｋ３とくくり付けられたコマンダ２へ送信する。
【００２３】
［２．携帯端末装置Ｋ１とコマンダ２とのくくり付け方法、及び、リモコン１へのログイン方法］
以下、図２を用いて、本実施形態の携帯端末装置Ｋ１とコマンダ２とのくくり付け方法、及び、リモコン１へのログイン方法について説明する。図２は、本実施形態の携帯端末装置Ｋ１とコマンダ２とのくくり付け方法、及び、リモコン１へのログイン方法を示す概念図である。図２に示す例では、センターサーバ３は、コマンダ２のコマンダＩＤと、コマンダ２とくくり付けられたリモコン１のリモコンＩＤとを対応付けて、くくり付け情報として記憶している。これにより、センターサーバ３は、コマンダ２がくくり付けられているリモコンが、リモコン１であることを把握することができる。
【００２４】
まず、携帯端末装置Ｋ１が、携帯端末装置Ｋ１とくくり付けられるコマンダ２のコマンダＩＤを取得する（図２：（１））。コマンダＩＤは、例えば、ユーザにより入力されても良い。また、各カラオケルームに、コマンダＩＤを含むＱＲコードが張られても良い。この場合、携帯端末装置Ｋ１に備えられたカメラによって、ＱＲコードが読み取られる。読み取られたＱＲコードが含むコマンダＩＤが、携帯端末装置Ｋ１に取得される。
【００２５】
次に、携帯端末装置Ｋ１は、取得したコマンダＩＤと、携帯端末装置Ｋ１のユーザを識別するユーザ識別情報とをセンターサーバ３へ送信する（図２：（２））。ユーザ識別情報は、ユーザを識別する情報である。例えば、カラオケサービスを利用するユーザ夫々を識別可能な情報が、ユーザ識別情報である。そして、センターサーバ３がコマンダＩＤを受信すると、センターサーバ３は、携帯端末装置Ｋ１とコマンダ２とのくくり付け処理を実行する（図２：（３））。本実施形態のくくり付け処理は、センターサーバ３が受信したユーザ識別情報と、コマンダＩＤとを対応付けて、センターサーバ３の記憶部に、くくり付け情報として記憶することである。これにより、携帯端末装置Ｋ１から送信された情報をセンターサーバ３が受信すると、携帯端末装置Ｋ１とくくり付けられたコマンダ２へ、センターサーバ３は情報を転送することができる。これは、センターサーバ３が、コマンダＩＤと、コマンダＩＤにより識別されるコマンダのＩＰアドレスとを対応付けて記憶しているためである。これにより、センターサーバ３は、コマンダＩＤに基づいて通信するコマンダを決定し、情報を通信することができる。センターサーバ３によるくくり付け処理が完了した後に、携帯端末装置Ｋ１は、コマンダ２に向けて楽曲の予約処理を実行可能になる。楽曲の予約処理を実行する場合、まず、携帯端末装置Ｋ１は、予約する楽曲を示す楽曲識別情報と携帯端末装置Ｋ１のユーザのユーザ識別情報とを、センターサーバ３に向けて送信する。そして、携帯端末装置Ｋ１から楽曲識別情報とユーザ識別情報とを受信すると、センターサーバ３は、受信したユーザ識別情報とくくり付け情報とに基づいて、楽曲識別情報を転送するコマンダを決定する。具体的には、くくり付け情報の中から、受信したユーザ識別情報と対応付けられたコマンダＩＤを、センターサーバ３が決定する。決定されたコマンダＩＤのコマンダ２に向けて、センターサーバ３は、受信した楽曲識別情報を転送する。これにより、携帯端末装置Ｋ１により、コマンダ２へ楽曲予約を行うことが可能になる。
【００２６】
携帯端末装置Ｋ１とコマンダとのくくり付け処理（図２：（３））が実行された後に、センターサーバ３は、コマンダ２とくくり付けられたリモコン１へ、受信したユーザ識別情報を転送する（図２：（４））。ユーザ識別情報を受信すると、リモコン１は、ログイン処理を自動で実行する。本実施形態のログイン処理は、ログインしたユーザ識別情報に対応する個人情報をセンターサーバ３から取得し、リモコン１により閲覧可能に設定する処理である。なお、本実施形態では、個人情報は、例えば、カラオケシステムＳを用いて歌唱した際、所定の楽曲を歌唱した履歴、歌唱した採点結果、好みのアーティスト、または、好みの歌のジャンルである。また、個人情報は、生年月日、性別、年齢でも良い。これにより、ユーザＹ１はリモコン１へのログイン処理を手動で実行することなく、リモコン１を用いて個人情報を閲覧することができる。この結果、携帯端末装置とリモコンとの両方に、ログイン操作を行う必要がある場合であっても、複数回のログイン処理を行う必要がないため使い勝手が良くなる。
【００２７】
［３．リモコン１から携帯端末装置Ｋ１への楽曲のレコメンド方法］
次に、図３を用いて、本実施形態の携帯端末装置Ｋ１への楽曲のレコメンド方法について説明する。図３は、本実施形態の携帯端末装置Ｋ１への楽曲予約のレコメンド方法を示す概念図である。
【００２８】
まず、リモコン１は、レコメンド情報を決定する（図３：（６））。レコメンド情報は、図１に示すユーザＹ１〜Ｙ３に対して、楽曲の歌唱を予約させるための情報である。言い換えれば、レコメンド情報は、楽曲を予約させるための楽曲識別情報である。コマンダ２とくくり付けられた携帯端末装置へ向けて、リモコン１はレコメンド情報を送信する。本実施形態のリモコン１は、ユーザ情報に基づいて、レコメンド情報を生成する。以下、レコメンド情報の生成方法の詳細について説明する。本実施形態では、リモコン１が取得する個人情報を用いて、リモコン１は、リモコン１にログインしているユーザに共通する属性の楽曲識別情報を決定する。個人情報として、生年月日または年齢が用いられる場合を例にあげる。この場合、ユーザに共通する属性の楽曲識別情報として、ログインしている複数のユーザの中で、生年月日または年齢が同じ年代であるユーザの間で流行した楽曲が決定される。また、別の例として、個人情報として、好みのアーティストが用いられる場合を例にあげる。この場合、ユーザに共通する属性の楽曲識別情報として、ログインしている複数のユーザの中で、共通する好みのアーティストの楽曲が決定される。
【００２９】
次に、リモコン１は、生成されたレコメンド情報とリモコンＩＤとをセンターサーバ３へ送信する（図３：（７））。レコメンド情報を受信したセンターサーバ３は、レコメンド情報を送信したリモコン１とくくり付けられたコマンダを、リモコンＩＤを用いて決定する。図３の場合、リモコン１とくくり付けられたコマンダは、コマンダ２である。センターサーバ３は、決定されたコマンダ２のコマンダＩＤと、受信したレコメンド情報とを対応付けて記憶する（図３（８））。
【００３０】
そして、センターサーバ３は、記憶したレコメンド情報を携帯端末装置Ｋ１に取得させる。具体的には、携帯端末装置Ｋ１は、定期的なリクエストをセンターサーバ３へ定期的に送信する（図３（９））。定期的なリクエストは、携帯端末装置Ｋ１のユーザのユーザ識別情報を含む。リクエストを受信したセンターサーバ３は、受信したユーザ識別情報とくくり付けられたコマンダＩＤを決定する。そして、センターサーバ３は、決定されたコマンダＩＤに対応付けられてレコメンド情報がリモコン１から受信されているかを判定する。また、センターサーバ３は、決定されたコマンダＩＤに対応付けられてレコメンド情報を記憶しているかを判定しても良い。レコメンド情報が記憶されている、または、レコメンド情報が受信されていると判定された場合、センターサーバ３は、携帯端末装置Ｋ１にレコメンド情報を取得させる（図３（１０））。携帯端末装置Ｋ１にレコメンド情報をさせる方法としては、センターサーバ３が携帯端末装置Ｋ１にレコメンド情報を送信しても良いし、携帯端末装置Ｋ１がセンターサーバ３からレコメンド情報を取得またはダウンロードしても良い。
【００３１】
携帯端末装置Ｋ１はレコメンド情報を取得すると、取得したレコメンド情報を参照して楽曲の予約依頼が実行される（図３：（１１））。この結果、リモコン１にログインしたユーザに共通した楽曲識別情報が携帯端末装置Ｋ１へ送信されることで、携帯端末装置Ｋ１を用いたユーザは、リモコン１を使用するユーザに共通した楽曲識別情報を把握することができる。また、リモコン１を使用するユーザに共通した楽曲を予約することができる。
【００３２】
［４．電気的構成概要］
図４は、本実施形態のカラオケシステムＳを構成するリモコン１、コマンダ２及びセンターサーバ３と、携帯端末装置Ｋ１の電気的構成を説明する説明図である。
【００３３】
［４．１  コマンダ２の電気的構成］
図４に示すように、コマンダ２は、制御部２１と、ＬＡＮインターフェース部２２と、記憶部２３と、操作処理部２６と、シンセサイザ２７と、ビデオＲＡＭ３１と、映像再生部３２と、映像制御部３３とを備える。
【００３４】
制御部２１は、ＬＡＮインターフェース部２２と、記憶部２３と、操作処理部２６と、シンセサイザ２７と、ビデオＲＡＭ３１と、映像再生部３２と、映像制御部３３と電気的に接続される。制御部２１は、コマンダ２の各種構成を制御する。制御部２１は、例えば、ＣＰＵ及びＲＡＭ等から構成されるコントローラである。なお、制御部２１は、計時動作を実行可能である。制御部２１により、現在の時刻を示す時刻情報が取得される。
【００３５】
ＬＡＮインターフェース部２２は、コマンダ２とネットワークと接続する。ＬＡＮインターフェース部２２により、コマンダ２は、ブロードバンドルータＢＲまたはアクセスポイントＡＰを介してインターネットにより、リモコン１、センターサーバ３及び携帯端末装置と通信可能になる。
【００３６】
操作処理部２６は、操作部２４と、赤外線受信部２５と電気的に接続される。操作部２４は、コマンダ２のユーザにより操作される。操作部２４により操作され、入力された信号が操作処理部２６に出力される。また、赤外線受信部２５は、リモコン１により送信された赤外線を受信する。受信された赤外線の信号は、操作処理部２６に出力される。操作処理部２６は、出力された夫々の信号にも基づいて、操作内容を決定する。決定された操作内容に基づいて、制御部２１は、コマンダ２を制御する。操作内容は、例えば、楽曲の予約である。
【００３７】
記憶部２３は、コマンダ２で出力する楽曲データ及び映像データを記憶する。また、記憶部２３、コマンダ２に付与されたコマンダＩＤを記憶する。記憶部２３は、例えば、ＨａｒｄＤｉｓｋ（ＨＤ）等の高容量の記憶媒体である。操作処理部２６により決定された操作内容に基づいて、記憶部２３に記憶された楽曲データまたは映像データが制御部２１により読み出される。そして、記憶部２３に記憶された映像データに従って、制御部２１は、ビデオＲＡＭ３１または映像再生部３２または映像制御部３３に、映像を出力させる指令を送信する。
【００３８】
図４に示すように、制御部２１は、ビデオＲＡＭ３１と映像再生部３２と、映像制御部３３とに電気的に接続される。また、映像制御部３３は、表示部３４と電気的に接続される。なお、本実施形態では、コマンダ２の外部に設置された表示部３４と電気的に接続される。ビデオＲＡＭ３１は、読み出された映像データを一時記憶する。制御部２１により出力される指令に従って、映像再生部３２は、ビデオＲＡＭ３１に一時記憶された映像データを、表示部３４に出力させる信号に変換する。変換された信号は、映像制御部３３に送信される。制御部２１により送信された指令に従って、映像制御部３３は、表示部３４に映像を表示させる指令を送信する。映像制御部３３は、映像再生部３２により送信された信号に基づいて、表示部３４に所定の映像を表示させる。表示部３４は、例えば、ディスプレイである。
【００３９】
また、記憶部２３に記憶された楽曲データに従って、制御部２１は楽曲データを出力させる指令を、シンセサイザ２７に送信する。そして、制御部２１により送信された指令に従って、シンセサイザ２７は、楽曲データに基づいて音信号を生成する。音信号は、ミキシングアンプ３０を介してスピーカ２９により音を出力させるための信号である。図４に示すように、シンセサイザ２７は、ミキシングアンプ３０と電気的に接続される。また、ミキシングアンプ３０は、マイク制御部２８とスピーカ２９とに電気的に接続される。
【００４０】
マイク制御部２８は、図示しないマイクと接続される。マイクにより入力された情報に基づいて、マイク制御部２８は、音声信号を生成する。マイク制御部２８は、生成された音声信号をミキシングアンプ３０に出力する。マイク制御部２８により送信された音声信号またはシンセサイザ２７により送信された音信号に基づいて、ミキシングアンプ３０は、マイクにより入力された音声または楽曲データの音をスピーカ２９により出力させる。マイク制御部２８により送信された音声信号とシンセサイザ２７により送信された音信号との両方が、ミキシングアンプ３０に送信された場合、ミキシングアンプ３０は、マイクにより入力された音声と楽曲データの音とを合成してスピーカ２９により出力させる。
【００４１】
［４．２  リモコン１の電気的構成］
図４に示すように、リモコン１は、制御部１１と、赤外線送信部１２と、メモリ１３と、操作処理部１６と、ビデオＲＡＭ１７と、映像制御部１８と、無線ＬＡＮ通信部１９とを備える。制御部１１は、赤外線送信部１２と、メモリ１３と、操作処理部１６と、ビデオＲＡＭ１７と、映像制御部１８と、無線ＬＡＮ通信部１９と電気的に接続される。制御部１１は、リモコン１の各種構成を制御する。制御部１１は、例えば、ＣＰＵ及びＲＡＭ等から構成されるコントローラである。このため、制御部１１は、リモコン１のコンピュータとして機能する。なお、制御部１１は、計時動作を実行可能である。制御部１１により、現在の時刻を示す時刻情報が取得される。
【００４２】
操作処理部１６は、操作部１５と電気的に接続される。操作部１５は、リモコン１のユーザにより操作される。操作部１５は、例えば、タッチパネルである。タッチパネルにより入力された位置情報が操作処理部１６に出力される。操作処理部１６は、入力された位置情報に基づいて操作内容を決定する。決定された操作内容が、制御部１１に出力される。
【００４３】
赤外線送信部１２は、コマンダ２に向けて赤外線を送信する。具体的には、操作処理部１６により決定された操作内容が、赤外線送信部１２によりコマンダ２に向けて送信される。リモコン１の操作部１５がユーザにより操作されることで、所定の操作信号が、リモコン１からコマンダ２に送信される。例えば、リモコン１を操作することで、カラオケの楽曲が予約される。そのため、リモコン１から、予約されたカラオケの楽曲を示す操作信号がコマンダ２に送信される。コマンダ２は、操作信号を受信すると、操作信号が含む楽曲を予約楽曲として制御部１１のＲＡＭ等に一時記憶する。
【００４４】
メモリ１３は、検索データ及び映像データを記憶する。本実施形態では、メモリ１３は、第１ログイン情報記憶領域１３１と、第１個人情報記憶領域１３２と、第１レコメンド情報記憶領域１３３と、リモコンプログラム記憶領域１３４とを含む。第１ログイン情報記憶領域１３１は、リモコン１にログインしているユーザを識別するユーザ識別情報を記憶する。リモコン１にユーザがログインしている場合、ログインしているユーザを示すユーザ識別情報が、第１ログイン情報記憶領域１３１に記憶される。第１個人情報記憶領域１３２は、個人情報を記憶する。個人情報は、第１ログイン記憶領域１３１に記憶されるユーザ識別情報が示すユーザの個人の情報である。個人情報は、例えば、カラオケシステムＳにより歌唱された際、所定の楽曲を歌唱した履歴、歌唱した採点結果、好みのアーティスト、または、好みの歌のジャンルである。また、個人情報は、生年月日、性別、年齢でも良い。本実施形態では、第１個人記憶領域に、ユーザ識別情報と個人情報とが対応付けて記憶される。なお、本実施形態の個人情報記憶領域１３２は、本発明の第２記憶手段の一例である。
【００４５】
第１レコメンド情報記憶領域１３３は、レコメンド情報を記憶する。レコメンド情報は、例えば、ユーザＹ１〜Ｙ３に対して、楽曲の歌唱を予約させるための情報である。言い換えれば、レコメンド情報は、楽曲を予約させるための楽曲識別情報である。本実施形態では、個人情報に基づいて、レコメンド情報が生成される。以下、レコメンド情報の詳細について、説明する。本実施形態では、第１個人情報記憶領域１３２には、第１ログイン記憶領域１３１に記憶されるユーザ識別情報が示すユーザの個人情報が記憶されている。記憶されている個人情報を用いて、リモコン１にログインしているユーザに共通する属性の楽曲識別情報が決定される。個人情報として、生年月日または年齢が用いられる場合を例にあげる。この場合、ユーザに共通する属性の楽曲識別情報として、ログインしている複数のユーザの中で、生年月日または年齢が同じ年代であるユーザの間で流行した楽曲が決定される。また、別の例として、個人情報として、好みのアーティストが用いられる場合を例にあげる。この場合、ユーザに共通する属性の楽曲識別情報として、ログインしている複数のユーザの中で、共通する好みのアーティストの楽曲が決定される。決定された楽曲識別情報が、レコメンド情報として第１レコメンド情報記憶領域１３３に記憶される。
【００４６】
リモコンプログラム記憶領域１３４は、リモコン１のプログラムが記憶される。リモコン１のプログラムは、リモコン１を制御するプログラムである。なお、リモコン１のプログラムは、例えば、ネットワーク上の所定のサーバからダウンロードされるようにしてもよいし、例えば、ＣＤ−ＲＯＭ等の記録媒体に記録されて記録媒体のドライブを介して読み込まれるようにしても良い。
【００４７】
メモリ１３は、例えば、不揮発性のＮＡＮＤ型のメモリである。メモリ１３に記憶される検索データは、カラオケシステムＳで配信される楽曲データを検索する情報である。検索データは、例えば、カラオケの電子早見本である。なお、検索データは、楽曲識別情報を含む。また、メモリ１３に記憶される映像データは、表示部１４により映像を表示させるための情報である。操作処理部１６により決定された操作内容に基づいて、メモリ１３に記憶された映像データが制御部１１により読み出される。そして、メモリ１３に記憶された映像データに従って、制御部１１は、ビデオＲＡＭ１７または映像制御部１８に、映像を出力させる指令を送信する。図４に示すように、制御部１１は、ビデオＲＡＭ１７と映像制御部１８とに電気的に接続される。また、映像制御部１８は、表示部１４と電気的に接続される。ビデオＲＡＭ１７は、読み出された映像データを一時記憶する。制御部１１により出力される指令に従って、映像制御部１８は、ビデオＲＡＭ１７に一時記憶された映像データを、表示部に出力させる信号に変換する。映像制御部１８は、変換した信号を表示部１４に表示させる指令を送信する。映像制御部１８は、変換した信号に基づいて、表示部１４に所定の映像を表示させる。表示部１４は、例えば、ディスプレイである。
【００４８】
無線ＬＡＮ通信部１９は、各カラオケ店舗ＫＳ等に設置されたアクセスポイントＡＰに接続される。無線ＬＡＮ通信部１９は、例えば、公知の無線チップである。アクセスポイントＡＰは、例えば、無線ＬＡＮである。また、アクセスポイントＡＰは、ブロードバンドルータＢＲを介してＷＡＮ等のインターネットと接続可能である。また、リモコン１は、アクセスポイントＡＰを介して、カラオケ店舗内のＬＡＮ及びインターネットに接続される。これにより、リモコン１は、コマンダ２、センターサーバ３及び携帯端末装置に情報を送受信可能となる。
【００４９】
［４．３  センターサーバ３の電気的構成］
図４に示すように、センターサーバ３は、制御部３５と、ＬＡＮインターフェース部３６と、記憶部３７とを備える。
【００５０】
制御部３５は、ＬＡＮインターフェース部３６と、記憶部３７と電気的に接続される。制御部３５は、センターサーバ３の各種構成を制御する。制御部３５は、例えば、ＣＰＵ及びＲＡＭ等から構成されるコントローラである。このため、制御部３５は、センターサーバ３のコンピュータとして機能する。なお、制御部３５は、計時動作を実行可能である。制御部３５により、現在の時刻を示す時刻情報が取得される。
【００５１】
ＬＡＮインターフェース部３６は、センターサーバ３とネットワークと接続する。ＬＡＮインターフェース部３６により、センターサーバ３は、ブロードバンドルータＢＲまたはアクセスポイントＡＰを介してインターネットにより、リモコン１、コマンダ２及び携帯端末装置と通信可能になる。
【００５２】
記憶部３７は、例えば、ＨａｒｄＤｉｓｋ（ＨＤ）等の高容量の記憶媒体である。記憶部３７は、くくり付け情報記憶領域３７１と、第２個人情報記憶領域３７２と、第２レコメンド情報記憶領域３７３と、第２ログイン情報記憶領域３７４と、センターサーバプログラム記憶領域３７５とを含む。
【００５３】
くくり付け情報記憶領域３７１は、くくり付け情報を記憶する。本実施形態では、センターサーバ３は、くくり付け情報として、リモコンとコマンダのくくり付け、及び、携帯端末装置とコマンダとのくくり付けとを記憶する。また、くくり付け情報記憶領域３７１は、くくり付け情報が記憶された時刻を示す時刻情報を、くくり付け情報と対応付けて記憶する。なお、本実施形態のくくり付け情報記憶領域３７１は、本発明の記憶手段の一例である。
【００５４】
第２個人情報記憶領域３７２は、各ユーザの個人情報を記憶する。具体的には、第２個人情報記憶領域３７２は、ユーザ識別情報と対応付けて個人情報を記憶して管理する。
【００５５】
第２レコメンド情報記憶領域３７３は、リモコン１から受信したレコメンド情報を記憶する。具体的には、レコメンド情報を受信したセンターサーバ３は、レコメンド情報を送信したリモコン１とくくり付けられたコマンダを決定する。センターサーバ３は、決定されたコマンダ２のコマンダＩＤと、受信したレコメンド情報とを対応付けて、第２レコメンド情報記憶領域３７３に記憶する。
【００５６】
第２ログイン情報記憶領域３７４は、リモコン１から送信されたユーザ識別情報とリモコンＩＤとを対応付けて記憶する。本実施形態では、リモコン１によりログイン処理が実行された場合、リモコン１は、ログインしたユーザ識別情報と、リモコン１のリモコンＩＤとをセンターサーバ３へ送信する。センターサーバ３は、リモコン１により送信されたユーザ識別情報とリモコンＩＤとを受信すると、ユーザ識別情報とリモコンＩＤとを対応付けて第２ログイン情報記憶領域３７４へ記憶する。これにより、センターサーバ３は、リモコン１へのユーザのログイン状況を把握することができる。
【００５７】
センターサーバプログラム記憶領域３７５は、センターサーバ３のプログラムが記憶される。センターサーバ３のプログラムは、センターサーバ３を制御するプログラムである。なお、センターサーバ３のプログラムは、例えば、ネットワーク上の所定のサーバからダウンロードされるようにしてもよいし、例えば、ＣＤ−ＲＯＭ等の記録媒体に記録されて記録媒体のドライブを介して読み込まれるようにしても良い。
【００５８】
［４．４  携帯端末装置Ｋ１の電気的構成］
図４に示すように、携帯端末装置Ｋ１は、制御部５２と、メモリ５３と、操作処理部５６と、ビデオＲＡＭ５７と、映像制御部５８と、無線通信部５１とを備える。制御部５２は、メモリ５３と、操作処理部５６と、ビデオＲＡＭ５７と、映像制御部５８と、無線通信部５１と電気的に接続される。制御部５２は、携帯端末装置Ｋ１の各種構成を制御する。制御部５２は、例えば、ＣＰＵ及びＲＡＭ等から構成されるコントローラである。このため、制御部５２は、携帯端末装置Ｋ１のコンピュータとして機能する。なお、制御部５２は、計時動作を実行可能である。制御部５２により、現在の時刻を示す時刻情報が取得される。
【００５９】
操作処理部５６は、操作部５５と電気的に接続される。操作部５５は、携帯端末装置Ｋ１のユーザにより操作される。操作部５５は、例えば、タッチパネルである。タッチパネルにより入力された位置情報が操作処理部５６に出力される。操作処理部５６は、入力された位置情報に基づいて操作内容を決定する。決定された操作内容が、制御部５２に出力される。
【００６０】
メモリ５３は、検索データ及び映像データを、メモリ５３の所定の記憶領域に記憶する。メモリ５３に記憶される検索データは、例えば、センターサーバ３から取得される。本実施形態では、メモリ５３は、コマンダＩＤ記憶領域５３１と、第３レコメンド情報記憶領域５３２と、携帯端末プログラム記憶領域５３３とを含む。コマンダＩＤ記憶領域５３１は、携帯端末装置Ｋ１が取得したコマンダＩＤを記憶する。本実施形態では、携帯端末装置Ｋ１とくくり付けられるコマンダのコマンダＩＤが取得される。コマンダＩＤは、例えば、ユーザにより入力されても良い。また、各カラオケルームに、コマンダＩＤを含むＱＲコードが張られても良い。この場合、携帯端末装置Ｋ１に備えられたカメラによって、ＱＲコードが読み取られる。読み取られたＱＲコードが含むコマンダＩＤが、携帯端末装置Ｋ１に取得されてコマンダＩＤ記憶領域５３１に記憶される。また、コマンダ２の表示部３４、または、リモコン１の表示部１４にＱＲコードが表示されても良い。また、コマンダ２の表示部３４、または、リモコン１の表示部１４にコマンダＩＤが表示されても良い。
【００６１】
第３レコメンド情報記憶領域５３２は、センターサーバ３から取得したレコメンド情報を記憶する。第３レコメンド情報記憶領域５３２に記憶されるレコメンド情報が含む楽曲識別情報に基づいて、携帯端末装置Ｋ１は、センターサーバ３へ楽曲予約要求を送信する。    
【００６２】
携帯端末プログラム記憶領域５３３は、携帯端末装置Ｋ１のプログラムが記憶される。携帯端末装置Ｋ１のプログラムは、携帯端末装置Ｋ１を制御するプログラムである。なお、携帯端末装置Ｋ１のプログラムは、例えば、ネットワーク上の所定のサーバからダウンロードされるようにしてもよいし、例えば、ＣＤ−ＲＯＭ等の記録媒体に記録されて記録媒体のドライブを介して読み込まれるようにしても良い。
【００６３】
メモリ５３は、例えば、不揮発性のＮＡＮＤ型のメモリである。メモリ５３に記憶される検索データは、カラオケシステムＳで配信される楽曲データを検索する情報である。検索データは、例えば、カラオケの電子早見本である。なお、検索データは、楽曲識別情報を含む。携帯端末装置Ｋ１は、検索データをセンターサーバ３から取得する。また、メモリ５３に記憶される映像データは、表示部５４により映像を表示させるための情報である。操作処理部５６により決定された操作内容に基づいて、メモリ５３に記憶された映像データが制御部５２により読み出される。そして、メモリ５３に記憶された映像データに従って、制御部５２は、ビデオＲＡＭ５７または映像制御部５８に、映像を出力させる指令を送信する。図４に示すように、制御部５２は、ビデオＲＡＭ５７と映像制御部５８とに電気的に接続される。また、映像制御部５８は、表示部５４と電気的に接続される。ビデオＲＡＭ５７は、読み出された映像データを一時記憶する。制御部５２により出力される指令に従って、映像制御部５８は、ビデオＲＡＭ５７に一時記憶された映像データを、表示部に出力させる信号に変換する。映像制御部５８は、変換した信号を表示部５４に表示させる指令を送信する。映像制御部５８は、変換した信号に基づいて、表示部５４に所定の映像を表示させる。表示部５４は、例えば、ディスプレイである。
【００６４】
無線通信部５１は、携帯基地局Ｃを介してネットワークへ接続可能な無線チップである。無線通信部５１により携帯端末装置Ｋ１は、携帯基地局Ｃを介してネットワークへ接続できる。これにより、携帯端末装置Ｋ１は、リモコン１、コマンダ２およびセンターサーバ３に情報を送受信可能となる。
【００６５】
［５．リモコン１の動作］
以上説明した構成からなる本実施形態のリモコン１の動作及び作用について、添付図面を参照して説明する。まず、リモコン１の動作及び作用について、添付図面を参照して説明する。図５は、リモコン１における動作の処理手順を示すフローチャートである。リモコン１の動作は、リモコン１の電源がオンにされたことにより、遂行される。以下に示す処理は、制御部１１により処理される。まず、ステップＳ１００では、くくり付けの依頼があったか否かが判定される。本実施形態では、リモコン１の操作部１５により、くくり付けの依頼要求が入力される。コマンダとのくくり付けの依頼要求があったと判定された場合（ステップＳ１００：ＹＥＳ）、ステップＳ１０１が実行される。コマンダとのくくり付けの依頼要求があったと判定されなかった場合（ステップＳ１００：ＮＯ）、ステップＳ１０４が実行される。
【００６６】
ステップＳ１０１では、コマンダとのくくり付けの依頼が、コマンダ２に向けて依頼される。具体的には、ステップＳ１０１では、リモコン１からコマンダ２へ、リモコン１のＩＰアドレスが赤外線により送信される。また、ステップＳ１０１で依頼した時刻が、制御部１１のＲＡＭに記憶される。以下、本実施形態のリモコン１とコマンダ２とのくくり付け方法について説明する。赤外線により送信されたリモコン１のＩＰアドレスは、コマンダ２により受信される。これにより、コマンダ２は、コマンダ２とくくり付けようとしているリモコン１のＩＰアドレスを知ることができる。そして、コマンダ２は、受信したリモコン１のＩＰアドレスを宛先として、ネットワークを介してコマンダ２のＩＰアドレスを送信する。これにより、リモコン１は、リモコン１とくくり付けられるコマンダ２のＩＰアドレスを知ることができる。これにより、リモコン１とコマンダ２とがくくり付けられて、リモコン１からコマンダ２に向けてネットワークを介して、各種操作指令を送信することができる。なお、リモコン１とコマンダ２とのくくり付け方法は、例えば、特開２００９−１８１０２０及び特開２００９−２８８６９０等で公知である。そして、リモコン１は、そして、くくり付けられたコマンダ２のコマンダＩＤと、リモコン１のリモコンＩＤとを含むくくり付け完了通知がセンターサーバ３へ送信される。
【００６７】
ステップＳ１０２では、コマンダ２からコマンダ２のＩＰアドレスが受信されたか否かが判定される。コマンダ２のＩＰアドレスが受信されたと判定された場合（ステップＳ１０２：ＹＥＳ）、センターサーバ３へ、くくり付け完了通知が送信されると共に、ステップＳ１０４が実行される。コマンダ２のＩＰアドレスが受信されたと判定された場合（ステップＳ１０２：ＮＯ）、ステップＳ１０３が実行される。
【００６８】
ステップＳ１０３では、ステップＳ１０１で記憶した時刻から、所定時間が経過したか否かが判定される。所定時間が経過したと判定された場合（ステップＳ１０３：ＹＥＳ）、くくり付けの依頼が失敗したとして、再度、ステップＳ１０１が実行される。一方、所定時間が経過したと判定されなかった場合（ステップＳ１０３：ＮＯ）、ステップＳ１０２が再度実行される。
【００６９】
ステップＳ１０４では、センターサーバ３から送信されたログイン通知が受信されたか否かが判定される。ログイン通知が受信されたと判定された場合（ステップＳ１０４：ＹＥＳ）、ステップＳ１０５が実行される。ログイン通知が受信されたと判定されなかった場合（ステップＳ１０４：ＮＯ）、ステップＳ１０８が実行される。
【００７０】
ステップＳ１０５では、ステップＳ１０４で受信したユーザ識別情報を用いたリモコン１へのログイン処理が実行される。ログイン処理が実行されることで、ステップＳ１０４で受信したユーザ識別情報が、第１ログイン情報記憶領域１３１へ記憶される。そして、ログイン処理が実行されることで、リモコン１は、受信したユーザ識別情報に対応する個人情報を、センターサーバ３から取得する。取得された個人情報が、第１個人情報記憶領域１３２へ記憶される。そして、ログイン処理が完了したユーザのユーザ識別情報と、ログイン処理を実行したリモコンのリモコンＩＤとがセンターサーバ３へ送信され、センターサーバ３の第２ログイン情報記憶領域３７４に記憶されることになる。
【００７１】
ステップＳ１０６では、レコメンド情報が生成される。ステップＳ１０５で取得した個人情報を用いて、リモコン１にログインしているユーザに共通する属性の楽曲識別情報が、レコメンド情報として決定される。個人情報として、生年月日または年齢が用いられる場合、ユーザに共通する属性の楽曲識別情報として、ログインしている複数のユーザの中で、生年月日または年齢が同じ年代であるユーザの間で流行した楽曲が決定される。また、個人情報として、好みのアーティストが用いられる場合、ユーザに共通する属性の楽曲識別情報として、ログインしている複数のユーザの中で、共通する好みのアーティストの楽曲が決定される。決定された楽曲識別情報を含むレコメンド情報が生成される。生成されたレコメンド情報が、第１レコメンド情報記憶領域１３３に記憶される。なお、本実施形態のリモコン１の制御部１１とステップＳ１０６とは、本発明の決定手段の一例である。
【００７２】
ステップＳ１０７では、ステップＳ１０６で生成されたレコメンド情報が、センターサーバ３へ送信される。なお、本実施形態のリモコン１の制御部１１とステップＳ１０７とは、本発明の送信手段の一例である。
【００７３】
ステップＳ１０８では、携帯端末装置とのくくり付けの解除要求が受信されたか否かが判定される。解除要求が受信されたと判定された場合（ステップＳ１０８：ＹＥＳ）、ステップＳ１０９が実行される。解除要求が受信されたと判定されなかった場合（ステップＳ１０８：ＮＯ）、ステップＳ１１０が実行される。
【００７４】
ステップＳ１０９では、ステップＳ１０８で受信した解除要求が含むユーザ識別情報を用いて、ログアウト処理が実行される。ログアウト処理が実行されることで、ステップＳ１０９で受信したユーザ識別情報が、第１ログイン情報記憶領域１３１から削除される。そして、ログアウト処理が実行されることで、受信したユーザ識別情報に対応する個人情報が、第１個人情報記憶領域１３２から削除される。
【００７５】
ステップＳ１１０では、コマンダとのくくり付けの解除要求があったか否かが判定される。本実施形態では、リモコン１の操作部１５により、くくり付けの解除要求が入力される。コマンダとのくくり付けの解除要求があったと判定された場合（ステップＳ１１０：ＹＥＳ）、ステップＳ１１１が実行される。コマンダとのくくり付けの解除要求があったと判定されなかった場合（ステップＳ１１０：ＮＯ）、ステップＳ１１２が実行される。
【００７６】
ステップＳ１１１では、コマンダとのくくり付け解除の要求がセンターサーバ３へ送信される。具体的には、リモコン１のリモコンＩＤを含むくくり付け解除の要求が、センターサーバ３へ送信される。
【００７７】
ステップＳ１１２では、リモコン１の電源がオフにされたか否かが判定される。リモコン１の電源がオフにされたと判定された場合（ステップＳ１１２：ＹＥＳ）、リモコン１の動作は終了される。リモコン１の電源がオフにされたと判定されなかった場合（ステップＳ１１２：ＮＯ）、ステップＳ１００が実行される。
【００７８】
［６．センターサーバ３の動作］
以上説明した構成からなる本実施形態のセンターサーバ３の動作及び作用について、添付図面を参照して説明する。まず、センターサーバ３の動作及び作用について、添付図面を参照して説明する。図６は、センターサーバ３における動作の処理手順を示すフローチャートである。センターサーバ３の動作は、センターサーバ３の電源がオンにされたことにより、遂行される。以下に示す処理は、制御部３５により処理される。
【００７９】
まず、ステップＳ２０１では、リモコン１のステップＳ１０２でコマンダ２のＩＰアドレスが取得されたことに基づいて送信されたくくり付け完了通知が受信されたか否かが判定される。くくり付け完了通知が受信されたと判定された場合（ステップＳ２０１：ＹＥＳ）、ステップＳ２０２が実行される。くくり付け完了通知が受信されたと判定されなかった場合（ステップＳ２０１：ＮＯ）、ステップＳ２０３が実行される。
【００８０】
ステップＳ２０２では、受信したくくり付け完了通知が含むリモコンＩＤと、コマンダＩＤとが対応付けられて、くくり付け情報記憶領域３７１に記憶される。
【００８１】
ステップＳ２０３では、携帯端末装置からくくり付けの依頼が受信されたか否かが判定される。くくり付けの依頼が受信されたと判定された場合（ステップＳ２０３：ＹＥＳ）、ステップＳ２０４が実行される。くくり付けの依頼が受信されたと判定されなかった場合（ステップＳ２０３：ＮＯ）、ステップＳ２０７が実行される。本実施形態のセンターサーバ３の制御部３５と、ステップＳ２０３は、本発明の受信手段の一例である。また、本実施形態のステップＳ２０３は、本発明の受信ステップの一例である。
【００８２】
ステップＳ２０４では、携帯端末装置とのくくり付け処理が実行される。具体的には、携帯端末装置から送信されたコマンダＩＤと、ユーザ識別情報とが対応付けられて、くくり付け情報記憶領域３７１に記憶される。本実施形態のセンターサーバ３の制御部３５と、ステップＳ２０４は、本発明の第１制御手段の一例である。また、本実施形態のステップＳ２０４は、本発明の第１制御ステップの一例である。
【００８３】
ステップＳ２０５では、携帯端末装置のユーザが既にリモコン１にログインしているか否かが判定される。具体的には、ステップＳ２０４で受信したユーザ識別情報が、第２ログイン情報記憶領域３７４に記憶されているか否かが判定される。第２ログイン情報記憶領域３７４に記憶されていると判定された場合、携帯端末装置のユーザが既にリモコン１にログインしていると判定される。一方、第２ログイン情報記憶領域３７４に記憶されていると判定されなかった場合、携帯端末装置のユーザがリモコン１にログインしていないと判定される。携帯端末装置のユーザが既にリモコン１にログインしていると判定された場合（ステップＳ２０５：ＹＥＳ）、ステップＳ２０７が実行される。携帯端末装置のユーザが既にリモコン１にログインしていると判定されなかった場合（ステップＳ２０５：ＮＯ）、ステップＳ２０６が実行される。本実施形態のセンターサーバ３の制御部３５と、ステップＳ２０５とは、本発明の判定手段の一例である。また、本実施形態のステップＳ２０５は、本発明の判定ステップの一例である。
【００８４】
ステップＳ２０６では、ステップＳ２０３で受信したユーザ識別情報を含むログイン要求が、リモコン１へ送信される。ログイン要求を受信したリモコン１は、ログイン処理を実行することになる。本実施形態のセンターサーバ３の制御部３５と、ステップＳ２０６とは、本発明の第２制御手段の一例である。また、本実施形態のステップＳ２０６は、本発明の第２制御ステップの一例である。
【００８５】
ステップＳ２０７では、レコメンド情報が受信されたか否かが判定される。レコメンド情報が受信されたと判定された場合（ステップＳ２０７：ＹＥＳ）、ステップＳ２０８が実行される。レコメンド情報が受信されたと判定されなかった場合（ステップＳ２０７：ＮＯ）、ステップＳ２０９が実行される。本実施形態のセンターサーバ３の制御部３５と、ステップＳ２０７とは、本発明の決定手段の一例である。
【００８６】
ステップＳ２０８では、ステップＳ２０７で受信したレコメンド情報が携帯端末装置へ送信される。具体的には、くくり付け情報記憶領域３７１に記憶されたくくり付け情報に基づいて、レコメンド情報を送信したリモコンがくくり付けられたコマンダが決定される。そして、決定されたコマンダとくくり付けられた携帯端末装置が決定される。決定された携帯端末装置に向けて、レコメンド情報が送信される。また、ステップＳ２０８では、決定された携帯端末装置に、レコメンド情報が取得可能に設定されても良い。この場合、携帯端末装置Ｋ１により、センターサーバ３からレコメンド情報が取得されても良い。本実施形態のセンターサーバ３の制御部３５と、ステップＳ２０８とは、本発明の送信手段の一例である。
【００８７】
ステップＳ２０９では、くくり付け情報記憶領域３７１に記憶された時刻情報と現在の時刻とを比較して、時刻情報が示す時刻から、所定の時間が経過したくくり付け情報があるか否かが判定される。所定の時間が経過したくくり付け情報があると判定された場合（ステップＳ２０９：ＹＥＳ）、ステップＳ２１０が実行される。所定の時間が経過したくくり付け情報があると判定されなかった場合（ステップＳ２０９：ＮＯ）、ステップＳ２１１が実行される。
【００８８】
ステップＳ２１０では、時刻情報が示す時刻から、所定時間が経過したくくり付け情報が、くくり付け情報記憶領域３７１から削除される。つまり、所定時間が経過した携帯端末装置とコマンダとのくくり付けが解除される。
【００８９】
ステップＳ２１１では、リモコン１からくくり付け解除の要求が受信されたか否かが判定される。ステップＳ２１１では、ステップＳ１１１で送信されたくくり付け解除の要求が受信されたか否かが判定される。くくり付け解除の要求が受信されたと判定された場合（ステップＳ２１１：ＹＥＳ）、ステップＳ２１２が実行される。くくり付け解除の要求が受信されたと判定されなかった場合（ステップＳ２１１：ＮＯ）、ステップＳ２１３が実行される。
【００９０】
ステップＳ２１２では、リモコンのくくり付けが解除される。具体的には、ステップＳ２１１で受信したくくり付け解除の要求が含むリモコンＩＤが決定される。決定されたリモコンＩＤとくくり付けられているコマンダとのくくり付け情報が、くくり付け情報記憶領域３７１から削除される。つまり、リモコンとコマンダとのくくり付けが解除される。
【００９１】
ステップＳ２１３では、センターサーバ３の電源がオフにされたか否かが判定される。センターサーバ３の電源がオフにされたと判定された場合（ステップＳ２１３：ＹＥＳ）、センターサーバ３の動作は終了される。センターサーバ３の電源がオフにされたと判定されなかった場合（ステップＳ２１３：ＮＯ）、ステップＳ２０１が実行される。
【００９２】
［７．携帯端末装置Ｋ１の動作］
以上説明した構成からなる本実施形態の携帯端末装置Ｋ１の動作及び作用について、添付図面を参照して説明する。携帯端末装置Ｋ１の動作及び作用について、添付図面を参照して説明する。図７は、携帯端末装置Ｋ１における動作の処理手順を示すフローチャートである。携帯端末装置Ｋ１の動作は、携帯端末装置Ｋ１の電源がオンにされたことにより、遂行される。以下に示す処理は、制御部５２により処理される。
【００９３】
ステップＳ３０１では、所定のアプリケーションが起動されたか否かが判定される。本実施形態のステップＳ３０１で起動されるアプリケーションは、携帯端末装置Ｋ１とコマンダとをくくり付ける処理を実行するアプリケーションである。アプリケーションが起動されたと判定された場合（ステップＳ３０１：ＹＥＳ）、ステップＳ３０２が実行される。アプリケーションが起動されたと判定されなかった場合（ステップＳ３０１：ＮＯ）、ステップＳ３０７が実行される。
【００９４】
ステップＳ３０２では、コマンダＩＤが取得されたか否かが判定される。例えば、携帯端末装置Ｋ１のユーザが操作部５５を用いて、コマンダＩＤが入力されても良い。また、各カラオケルームに、コマンダＩＤを含むＱＲコードが張られても良い。この場合、携帯端末装置Ｋ１に備えられたカメラによって、ＱＲコードが読み取られる。なお、本実施形態では、カメラは図示していない。読み取られたＱＲコードが含むコマンダＩＤが、携帯端末装置Ｋ１に取得される。コマンダＩＤが取得されたと判定された場合（ステップＳ３０２：ＹＥＳ）、ステップＳ３０３が実行される。コマンダＩＤが取得されたと判定されなかった場合（ステップＳ３０２：ＮＯ）、ステップＳ３０４が実行される。
【００９５】
ステップＳ３０３では、ステップＳ３０２で取得されたコマンダＩＤを含むくくり付け依頼が、センターサーバ３へ送信される。
【００９６】
ステップＳ３０４では、レコメンド情報が受信されたか否かが判定される。ステップＳ３０４では、ステップＳ２０８でセンターサーバにより送信されたレコメンド情報が受信されたか否かが判定される。レコメンド情報が受信されたと判定された場合（ステップＳ３０４：ＹＥＳ）、ステップＳ３０５が実行される。レコメンド情報が受信されたと判定されなかった場合（ステップＳ３０４：ＮＯ）、ステップＳ３０６が実行される。
【００９７】
ステップＳ３０５では、ステップＳ３０４で受信したレコメンド情報が、第３レコメンド情報記憶領域５３２に記憶される。そして、記憶されたレコメンド情報が、携帯端末装置Ｋ１により予約可能に設定される。
【００９８】
ステップＳ３０６では、アプリケーションの終了が依頼されたか否かが判定される。アプリケーションの終了が依頼されたと判定された場合（ステップＳ３０６：ＹＥＳ）、ステップＳ３０７が実行される。アプリケーションの終了が依頼されたと判定されなかった場合（ステップＳ３０６：ＮＯ）、ステップＳ３０２が実行される。
【００９９】
ステップＳ３０７では、携帯端末装置Ｋ１の電源がオフにされたか否かが判定される。携帯端末装置Ｋ１の電源がオフにされたと判定された場合（ステップＳ３０７：ＹＥＳ）、携帯端末装置Ｋ１の動作は終了される。携帯端末装置Ｋ１の電源がオフにされたと判定されなかった場合（ステップＳ３０７：ＮＯ）、ステップＳ３０１が実行される。
【０１００】
本実施形態は、リモコン１により決定されたレコメンド情報が、センターサーバ３を経由して携帯端末装置へ送信される実施例である。本実施例の変形例として、リモコン１ではなく、センターサーバ３によりレコメンド情報が生成されて、生成されたレコメンド情報が携帯端末装置へ送信されても良い。この場合、図６に示すステップＳ２０７の代わりに、センターサーバ３が、リモコン１のステップＳ１０６を実行する。センターサーバ３の第２個人情報記憶領域３７２および第２ログイン情報記憶領域３７４に記憶される情報に基づいて、センターサーバ３は、リモコン１と同様にレコメンド情報を決定する。本実施形態のセンターサーバ３の制御部３５と、レコメンド情報を決定する処理とは、本発明の決定手段の一例である。決定されたレコメンド情報が、ステップＳ２０８で携帯端末装置へ送信されることになる。
【０１０１】
また、本実施形態の携帯端末装置は、スマートフォン、携帯電話、タブレットＰＣ等、持ち運び可能な端末装置全てに適用可能である。
【符号の説明】
【０１０２】
１  リモコン
２  コマンダ
３  センターサーバ
１１  制御部
１３１  第１ログイン情報記憶領域
１３２  第１個人情報記憶領域
１３３  第１レコメンド情報記憶領域    
３５  制御部
３７  記憶部
３７１  くくり付け情報記憶領域
３７２  第２個人情報記憶領域
３７３  第２レコメンド情報記憶領域
３７４  第２ログイン情報記憶領域
５３１  コマンダＩＤ記憶領域
５３２  第３レコメンド情報記憶領域
Ｋ１  携帯端末装置
Ｋ２  携帯端末装置
Ｋ３  携帯端末装置
【図１】
0005370432.tif 000002
【図２】
0005370432.tif 000003
【図３】
0005370432.tif 000004
【図４】
0005370432.tif 000005
【図５】
0005370432.tif 000006
【図６】
0005370432.tif 000007
【図７】
0005370432.tif 000008